(57)【要約】【課題】暗証番号等の入力を必要とすることなくセキュリティの高いデータの出力を行わせることを可能にする。【解決手段】クライアントＰＣ３，５，７，９が、印刷ジョブ・データの全部とＵＳＢメモリ１５及びプリンタ１１から入力したメモリ・シリアル・ナンバー及びデバイス・シリアル・ナンバーとをＵＳＢメモリ１５へ出力可能なプリンタ・ドライバ１３を備え、プリンタ１１が、ＵＳＢメモリ１５から取り込んだメモリ・シリアル・ナンバー及びデバイス・シリアル・ナンバーの識別と印刷ジョブ・データの全部の取り込みとに基づいて印刷出力を可能にすることを特徴とする。【選択図】図３
2007156743.tif 000002
【特許請求の範囲】
【請求項１】
各種データの入力を行うデータ入力装置と、
各種データの入力データを取得して所定の出力を行うデータ出力装置と、
前記データ入力装置における入力データの全部又は一部を取り込んで保持可能であり且つ前記データ入力装置及びデータ出力装置とは別個の記憶媒体とを備えたデータ入出力システムであって、
前記データ入力装置は、前記入力データの全部又は一部と前記記憶媒体及びデータ出力装置から入力した個体識別情報とを前記記憶媒体へ出力可能な入出力制御部を備え、
前記データ出力装置は、前記記憶媒体から取り込んだ個体識別情報の識別と前記入力データの全部又は一部の取り込みとに基づいて前記出力を可能にする
ことを特徴とするデータ入出力システム。
【請求項２】
請求項１記載のデータ入出力システムであって、
前記別個の記憶媒体は、可搬型である
ことを特徴とするデータ入出力システム。
【請求項３】
請求項２記載のデータ入出力システムであって、
前記記憶媒体は、ＵＳＢメモリ、コンパクト・フラッシュ・メモリ、マイクロ・ドライブ、モバイル端末の何れかである
ことを特徴とするデータ入出力システム。
【請求項４】
請求項１〜３の何れかに記載のデータ入出力システムであって、
前記個体識別情報は、シリアル・ナンバーである
ことを特徴とするデータ入出力システム。
【請求項５】
請求項１〜４の何れかに記載のデータ入出力システムであって、
前記個体識別情報は、暗号化された
ことを特徴とするデータ入出力システム。
【請求項６】
各種の入力データに基づいてデータ出力装置から所定の出力を行わせるデータ入力装置において、
前記入力データの全部又は一部と該入力データの全部又は一部を取り込んで保持可能な別個の記憶媒体及び前記データ出力装置から入力した個体識別情報とを前記記憶媒体へ出力可能な入出力制御部を備えた
ことを特徴とするデータ入力装置。
【請求項７】
データ入力装置による各種の入力データに基づいて所定の出力を行うデータ出力装置において、
別個の記憶媒体から取り込んだ該記憶媒体の個体識別情報及び自体の個体識別情報の識別と前記データ入力装置における入力データの全部又は一部の取り込みとに基づいて前記出力を可能にする
ことを特徴とするデータ出力装置。
【請求項８】
各種のデータ入力をデータ入力装置により行うデータ入力ステップと、
各種の入力データに基づいて所定の出力をデータ出力装置から行うデータ出力ステップと、
前記データ入力装置における入力データの全部又は一部を前記データ入力装置及びデータ出力装置とは別個の記憶媒体へ保持させる転送ステップとを備えてコンピュータを機能させるデータ入出力プログラムであって、
前記転送ステップは、前記入力データの全部又は一部と前記記憶媒体及びデータ出力装置から入力した個体識別情報とを前記記憶媒体へ保持させ、
前記データ出力ステップは、前記記憶媒体から取り込んだ個体識別情報の識別と前記入力データの全部又は一部の取り込みとに基づいて前記出力を可能にする
ことを特徴とするデータ入出力プログラム。
【請求項９】
データ入力装置により入力した各種の入力データの全部又は一部と、別個の記憶媒体及びデータ出力装置から入力した個体識別情報とを、前記記憶媒体へ保持させる転送ステップを備えてコンピュータを機能させる
ことを特徴とする転送制御プログラム。
【発明の詳細な説明】
【技術分野】
【０００１】
本発明は、ネットワーク等を介し静止画、動画、音声ファイルなどのデータを入出力可能なデータ入出力システム、データ入力装置、データ出力装置、データ入出力プログラム、及び転送制御プログラムに関する。
【背景技術】
【０００２】
一般に、クライアント・パーソナル・コンピュータ（ＰＣ「Personal  Computer」）等により印刷データを入力するとプリンタから直ちに印刷出力される場合、入力を行ったユーザがプリンタに到着する以前に、第三者は印刷出力された記録紙を見ることができ、或いは入手することが可能となっていた。このため、印刷のセキュリティ保持ができなかった。
【０００３】
一方、印刷のセキュリティを保持するためには、プライベート印刷システムがある。このシステムは、ユーザがネットワーク上のクライアントＰＣ等により印刷データを入力する際に暗唱番号を入力し、ネットワーク上のプリンタから印刷出力するとき、ユーザがプリンタまで出向き、プリンタに暗唱番号を入力して印刷出力するものである。
【０００４】
従って、暗唱番号を所持しない第三者は印刷出力することができず、印刷データの秘密性を保持することができる。
【０００５】
しかし、暗証番号の入力が面倒であり、且つ暗証番号を忘れると印刷出力できないという問題がある。
【０００６】
【特許文献１】特開２００５−１５７４１４号公報
【発明の開示】
【発明が解決しようとする課題】
【０００７】
解決しようとする問題点は、セキュリティを保持のための暗証番号の入力が面倒であり、且つ暗証番号を忘れるとデータの出力ができない点である。
【課題を解決するための手段】
【０００８】
本発明は、暗証番号等の入力を必要とすることなくセキュリティの高いデータの出力を行わせるため、データ入力装置は、入力データの全部又は一部と記憶媒体及びデータ出力装置から入力した個体識別情報とを記憶媒体へ出力可能な入出力制御部を備え、データ出力装置は、前記記憶媒体から取り込んだ個体識別情報の識別と前記入力データの全部又は一部の取り込みとに基づいて出力を可能にすることを最も主要な特徴とする。
【発明の効果】
【０００９】
本発明は、データ入力装置が、入力データの全部又は一部と記憶媒体及びデータ出力装置から入力した個体識別情報とを記憶媒体へ出力可能な入出力制御部を備え、データ出力装置が、前記記憶媒体から取り込んだ個体識別情報の識別と前記入力データの全部又は一部の取り込みとに基づいて出力を可能にするため、入力データの記憶された記憶媒体を特定したデータ出力装置でのみ出力させるようにすることができる。このため、ユーザがデータ出力装置に到着する以前に出力が行われることはなく、また記憶媒体を紛失しても拾得した第三者による出力を抑制することができ、セキュリティの高い出力を行わせることができる。
【００１０】
また、データ出力装置でのデータの出力に際して暗証番号等の入力を必要とせず、暗証番号の忘れ等による出力規制を回避することができる。
【発明を実施するための最良の形態】
【００１１】
暗証番号等の入力を必要とすることなくセキュリティの高いデータの出力を行わせるという目的を、記憶媒体と固体識別情報とにより実現した。
【実施例１】
【００１２】
［データ入出力システムの構成］
図１は本発明のデータ入出力システムを実施例１として適用した印刷データ入出力システムの構成図である。
【００１３】
図１は、プリンタ装置を用いた印刷データ入出力システム１を示している。但し、データ入出力システムは、入力データをデジタルオーディオ／ビデオプレーヤ、パーソナル・コンピューターに送信し、静止画、動画、音声ファイル等として出力させる場合にも適用することができる。
【００１４】
図１の印刷データ入出力システム１では、データ入力装置であるクライアントＰＣ３，５，７，９とプリンタ１１とがネットワークを介して接続されている。但し、プリンタ１１をネット・ワーク接続しない構成にすることも可能である。
【００１５】
そして、クライアントＰＣ３，５，７，９から入力データを取得してプリンタ１１から印刷出力を行うことができる。クライアントＰＣ３，５，７，９は、本実施例において同一構成であり、クライアントＰＣ３を用いて説明する。
【００１６】
前記クライアントＰＣ３は、プリンタ・ドライバ１３を備え、各種データとして印刷ジョブ・データを入力することができる。印刷ジョブ・データには、印刷サイズデータ、印刷方法データ等のジョブ・データと印刷データとが含まれている。
【００１７】
前記プリンタ・ドライバ１３は、印刷制御プログラムに転送制御プログラムを含み、入力データである印刷ジョブ・データの全部とＵＳＢメモリ１５及びプリンタ１１から入力した個体識別情報であるシリアル・ナンバーとを前記ＵＳＢメモリ１５へ出力可能な入出力制御部を構成している。また、プリンタ・ドライバ１３は、ＵＳＢメモリ１５へシリアル・ナンバーを転送するとき、ＵＳＢメモリ１５及びプリンタ１１双方のシリアル・ナンバーを連続させるなどして且つ暗号化する。但し、シリアル・ナンバーを暗号化せず、そのまま用いることも可能である。
【００１８】
前記ＵＳＢメモリ１５は、前記データ入力装置であるクライアントＰＣ３における入力データの全部又は一部を取り込んで保持可能であり且つクライアントＰＣ３及びデータ出力装置であるプリンタ１１とは別個の可搬型の記憶媒体の一例として示した不揮発性メモリデバイスである。但し、記憶媒体は、コンパクト・フラッシュ・メモリ、マイクロ・ドライブ、モバイル端末などにより構成することも可能である。
前記入力データは、印刷ジョブ・データ１７の内、ジョブ・データを除いた印刷データのみとすることもできる。また、印刷データを分割し、分割した印刷データの一部をＵＳＢメモリ１５に転送する構成とすること可能である。この場合、ＵＳＢメモリ１５に転送しないデータは、プリンタ１１に転送されることになる。
【００１９】
前記個体識別情報は、プリンタ１１、ＵＳＢメモリ１５の個体を識別できる情報であればよく、シリアル・ナンバー以外に、ユーザが付与した特別な名称、記号その他、種々のものがある。
【００２０】
前記プリンタ１１は、データ出力装置の一例であり、前記ＵＳＢメモリ１５から取り込んだシリアル・ナンバーの識別と入力データの全部又は一部である印刷ジョブ・データ１７の取り込みとに基づいて印刷出力を可能にするプログラムが組み込まれている。プリンタ１１には、ＵＳＢメモリ１５を接続することのできるコネクタが設けられている。データ出力装置としては、プリンタ以外に、複合機、ファックスなどを適用することもできる。
【００２１】
［入出力制御部］
図２は、本発明実施例のプリンタ・ドライバを備えたクライアントＰＣのブロック図である。
図２のように、クライアントＰＣ３に備えられたプリンタ・ドライバ１３は、ユーザの入力操作に基づいて印刷ジョブ・データ１７を生成すると共にプリンタ１１及びＵＳＢメモリ１５のデバイス・シリアル・ナンバー、メモリ・シリアル・ナンバーを入力して暗号化したシリアル・ナンバー１９を生成し、ＵＳＢメモリ１５に転送する機能を備えたプログラムである。
前記プリンタ１１のデバイス・シリアル・ナンバーは、ウェブ（Ｗｅｂ）接続したプリンタ１１から自動又は手動で取得し、或いはプリンタ１１の背部等に記載されているシリアル・ナンバーを見てクライアントＰＣ３のキーボード操作により入力する。
前記ＵＳＢメモリ１５のメモリ・シリアル・ナンバーは、クライアントＰＣ３のＵＳＢメモリ接続用のコネクタにＵＳＢメモリ１５を接続するとプリンタ・ドライバ１３によりクライアントＰＣ３に自動で取り込まれる。
【００２２】
［データの転送・シリアル・ナンバーの識別・印刷データ出力］
図３は、データの転送・シリアル・ナンバーの識別・印刷データ出力を示す機能ブロック図である。
図３のように、クライアントＰＣ３のコネクタに接続されたＵＳＢメモリ１５には、印刷データ入力後の印刷実行操作によりクライアントＰＣ３からジョブ・データ及び印刷データからなる印刷ジョブ・データ１７と暗号化したシリアル・ナンバー１９とが転送制御プログラムにより転送され、記憶される。
印刷出力の際には、ユーザがプリンタ１１まで出向きプリンタ１１のコネクタにＵＳＢメモリ１５を接続する。この接続により前記暗号化されたシリアル・ナンバー１９がＵＳＢメモリ１５からプリンタ１１に取り込まれ、またＵＳＢメモリ１５のＲＯＭなどに格納されたシリア・ナンバーが読み込まれる。プリンタ１１では、データ入出力プログラムにより暗号化されたシリアル・ナンバー１９と前記読み込まれたメモリ・シリアル・ナンバー及び自体のデバイス・シリアル・ナンバーとを比較して識別し、一致すれば印刷ジョブ・データ１７を読み込んで印刷出力する。
【００２３】
［データの転送・シリアル・ナンバーの識別・印刷データ出力のシーケンス］
図４にデータ入力から出力までのシーケンス図を示す。
ステップＳ１は、ユーザＵが、例えばクライアントＰＣ３により印刷データ等の入力を行なうと実行され、ユーザＵの印刷実行処理によりステップＳ２へ移行する。
前記ステップＳ２では、前記印刷実行によりクライアントＰＣ３上のプリンタ・ドライバ１３に印刷ジョブ・データの転送指示、シリア・ナンバーの暗号化及び転送指示を出しステップＳ３へ移行する。シリア・ナンバーの暗号化は、前記のようにクライアントＰＣ３及びＵＳＢメモリ１５のデバイス・シリアル・ナンバー及びメモリ・シリアル・ナンバーを連続させ暗号化する。
ステップＳ３では、プリンタ・ドライバ１３がＵＳＢメモリ１５へ印刷ジョブ・データ及び暗号化したシリア・ナンバーを転送する。
ステップＳ４の実行は、ユーザＵがＵＳＢメモリ１５をプリンタ１１のコネクタに接続し、或いは接続後のスタート・ボタンの操作により実行される。
前記ＵＳＢメモリ１５のプリンタ１１への接続によりデータ読み込みが行われ、前記暗号化されたシリアル・ナンバー１９がＵＳＢメモリ１５からプリンタ１１に読み込まれる。またＵＳＢメモリ１５のＲＯＭなどに格納されたシリア・ナンバーがプリンタ１１に読み込まれる。プリンタ１１では、データ入出力プログラムにより暗号化されたシリアル・ナンバー１９とメモリ・シリアル・ナンバー及び自体のデバイス・シリアル・ナンバーとを比較し、一致すればステップＳ５へ移行し、一致しなければ、「データへのアクセス権がありません。」等の表示をプリンタ１１のディスプレイに行う等して印刷出力を拒絶する。
ステップＳ５では、印刷ジョブ・データ１７に基づき指定されたカセット・トレイから指定された記録紙に印刷し、印刷結果２１として出力される。
すなわち、本発明実施例のデータ入出力システム１では、データ入力ステップとしてのステップＳ１と転送ステップとしてのステップＳ２とデータ出力ステップとしてのステップＳ４，Ｓ５とを備えている。
【００２４】
［実施例の効果］
本発明は、クライアントＰＣ３，５，７，９が、印刷ジョブ・データの全部とＵＳＢメモリ１５及びプリンタ１１から入力したシリアル・ナンバーとをＵＳＢメモリ１５へ出力可能なプリンタ・ドライバ１３を備え、プリンタ１１が、前記ＵＳＢメモリ１５から取り込んだメモリ・シリアル・ナンバー及びデバイス・シリアル・ナンバーの識別と前記印刷ジョブ・データの全部の取り込みとに基づいて印刷出力を可能にするため、印刷ジョブ・データを記憶させたＵＳＢメモリ１５を用いて特定したプリンタ１１でのみ出力させるようにすることができる。このため、ユーザがプリンタ１１に到着する以前に出力が行われることはなく、またＵＳＢメモリ１５を紛失しても拾得した第三者による出力を抑制することができ、セキュリティの高い出力を行わせることができる。
【００２５】
また、プリンタ１１での印刷データの出力に際して暗証番号等の入力を必要とせず、暗証番号の忘れ等による出力規制を回避することができる。
【００２６】
前記プリンタ１１のデバイス・シリアル・ナンバーをクライアントＰＣ３，５，７，９のキーボードなどにより直接入力する手段を用いれば、そもそもプリンタ１１とクライアントＰＣ３，５，７，９とを何らかのインター・フェイスにより繋いでおく必要がなくなる。
前記ＵＳＢメモリ１５は、可搬型であるため、ユーザが所持している限りは、第三者が印刷出力できることはないのに対し、ユーザは、いつでもセキュリティの高い印刷出力ができる。
【００２７】
前記個体識別情報は、シリアル・ナンバーであるため、個体識別情報の利用が容易である。
【００２８】
前記シリアル・ナンバーは、暗号化されたため、第三者にＵＳＢメモリ１５が不正に盗まれたとしても、使用したＵＳＢメモリ１５と指定したプリンタ１１との組み合わせ以外では印刷出力することができず、高いセキュリティを維持させることができる。
【００２９】
前記クライアントＰＣ３，５，７，９は、印刷ジョブ・データの全部とＵＳＢメモリ１５及びプリンタ１１から入力したシリアル・ナンバーとをＵＳＢメモリ１５へ出力可能なプリンタ・ドライバ１３を備えたため、使用したＵＳＢメモリ１５と指定したプリンタ１１との組み合わせ以外では印刷出力することができないシステムに適用してセキュリティの高い印刷出力を行わせることがきる。
前記プリンタ１１は、前記ＵＳＢメモリ１５から取り込んだメモリ・シリアル・ナンバー及びデバイス・シリアル・ナンバーの識別と前記印刷ジョブ・データの全部の取り込みとに基づいて印刷出力を可能にするため、使用したＵＳＢメモリ１５と指定したプリンタ１１との組み合わせ以外では印刷出力することができないシステムに適用してセキュリティの高い印刷出力を行わせることがきる。
【００３０】
前記データ入出力プログラムは、印刷ジョブ・データの入力をクライアントＰＣ３，５，７，９により行うデータ入力ステップ（ステップＳ１）と、印刷ジョブ・データに基づいて印刷出力をプリンタ１１から行うデータ出力ステップ（ステップＳ４，Ｓ５）と、前記クライアントＰＣ３，５，７，９における印刷ジョブ・データ１７の全部を前記クライアントＰＣ３，５，７，９及びプリンタ１１とは別個のＵＳＢメモリ１５へ保持させる転送ステップ（ステップＳ３）とを備えてコンピュータを機能させるデータ入出力プログラムであって、前記転送ステップ（ステップＳ３）は、前記印刷ジョブ・データ１７の全部と前記ＵＳＢメモリ１５及びプリンタ１１から入力したメモリ・シリアル・ナンバー及びデバイス・シリアル・ナンバーとを前記ＵＳＢメモリ１５へ保持させ、前記データ出力ステップ（ステップＳ４，Ｓ５）は、前記ＵＳＢメモリ１５から取り込んだメモリ・シリアル・ナンバー及びデバイス・シリアル・ナンバーの識別と前記印刷ジョブ・データ１７の全部の取り込みとに基づいて印刷出力を可能にするため、使用したＵＳＢメモリ１５と指定したプリンタ１１との組み合わせ以外では印刷出力することができないシステムに適用してセキュリティの高い印刷出力を行わせることがきる。
【００３１】
前記転送制御プログラムは、クライアントＰＣ３，５，７，９により入力した印刷ジョブ・データ１７の全部と、ＵＳＢメモリ１５及びプリンタ１１から入力したメモリ・シリアル・ナンバー及びデバイス・シリアル・ナンバーとを、前記ＵＳＢメモリ１５へ保持させる転送ステップ（ステップＳ３）を備えてコンピュータを機能させるため、使用したＵＳＢメモリ１５と指定したプリンタ１１との組み合わせ以外では印刷出力することができないシステムに適用してセキュリティの高い印刷出力を行わせることがきる。
［その他］
なお、前記クライアントＰＣ３，５，７，９では、始めにセキュリティを保持するか否かの問い合わせを行わせ、ユーザがセキュリティを保持するとの選択をしたときのみ前記処理を行わせる構成にすることもできる。
【図面の簡単な説明】
【００３２】
【図１】データ入出力システムの構成図（実施例１）。
【図２】データの転送・シリアル・ナンバーの識別・印刷データ出力を示す機能ブロック図である（実施例１）。
【図３】印刷ジョブ・データ及び暗号化シリアルの合成・復号化を示す機能ブロック図である（実施例１）。
【図４】データ入力から出力までのシーケンス図（実施例１）。
【符号の説明】
【００３３】
１  データ入出力システム
３，５，７，９  クライアントＰＣ（データ入力装置）
１１  プリンタ（データ出力装置）
１３  プリンタ・ドライバ（入出力制御部）
１５  ＵＳＢメモリ（別個の記憶媒体）
１７  印刷ジョブ・データ（入力データ）
１９  暗号化シリアル・ナンバー（個体識別情報）
２１  印刷結果（所定の出力）
Ｓ１  ステップ（データ入力ステップ）
Ｓ３  ステップ（転送割ステップ）
Ｓ４  ステップ（データ出力ステップ）
Ｓ５  ステップ（データ出力ステップ）
【図１】
2007156743.tif 000003
【図２】
2007156743.tif 000004
【図３】
2007156743.tif 000005
【図４】
2007156743.tif 000006